(57)【要約】【課題】  呼制御サーバが不通となった場合でも公衆電話交換網からＩＰ電話機へ着信可能とするＶｏＩＰシステムを提供することである。【解決手段】  ＶｏＩＰシステム１０は、ＩＰ電話機１２ａ〜１２ｄと、公衆電話交換網１５に繋がるゲートウェイ１３と、ＩＰ電話機１２ａ〜１２ｄの電話番号をＩＰアドレスに番号翻訳する呼制御サーバ１４とが接続されて構成され、ゲートウェイ１３には予め番号翻訳に必要な指標が記憶され、ＩＰ電話機１２ａ〜１２ｄには予めゲートウェイ１３及び呼制御サーバ１４の指標が記憶され、着信があった場合、ゲートウェイ１３は、呼制御サーバ１４に着信通知して応答がないと、番号翻訳して該当するＩＰ電話機に着信通知する構成とする。【選択図】        図１
2005252994.tif 000002
【特許請求の範囲】
【請求項１】
１以上のＩＰ電話機と、公衆電話交換網に繋がるゲートウェイと、前記ＩＰ電話機の電話番号をＩＰアドレスに番号翻訳する呼制御サーバとが接続されてなるＶｏＩＰシステムにおいて、
前記ゲートウェイには予め番号翻訳に必要な指標が記憶され、前記ＩＰ電話機には予め前記ゲートウェイ及び前記呼制御サーバの指標が記憶され、
着信があった場合、前記ゲートウェイは、前記呼制御サーバに着信通知して応答がないと、番号翻訳して前記ＩＰ電話機に着信通知することを特徴とするＶｏＩＰシステム。
【請求項２】
前記呼制御サーバを介さずに前記ゲートウェイから直接前記ＩＰ電話機に接続された後、
前記ゲートウェイは、
前記呼制御サーバの復旧を監視し、着信があった場合、
前記呼制御サーバとの通信が復旧していれば着信通知を呼制御サーバに対して行い、
前記呼制御サーバとの通信が復旧していなければ番号翻訳して前記ＩＰ電話機に着信通知することを特徴とする請求項１記載のＶｏＩＰシステム。
【請求項３】
前記呼制御サーバから前記ＩＰ電話機に接続された呼が保有されている場合に、前記ゲートウェイから前記ＩＰ電話機に着信通知があった場合、
前記ＩＰ電話機は、前記ゲートウェイからの着信を拒否することを特徴とする請求項１記載のＶｏＩＰシステム。
【請求項４】
前記ゲートウェイから直接前記ＩＰ電話機に接続された呼が保有されている場合に、前記呼制御サーバから前記ＩＰ電話機に着信通知があった場合、
前記ＩＰ電話機は、前記呼制御サーバからの着信を拒否することを特徴とする請求項２記載のＶｏＩＰシステム。
【請求項５】
公衆電話交換網に繋がるゲートウェイと、電話番号をＩＰアドレスに番号翻訳する呼制御サーバとに接続されたＩＰ電話機において、
予め前記ゲートウェイ及び呼制御サーバの指標が記憶され、前記ゲートウェイと前記呼制御サーバとの通信が不能な場合に、前記呼制御サーバを介さずに前記ゲートウェイから直接着信通知を受け付けることを特徴とするＩＰ電話機。
【請求項６】
前記ゲートウェイから着信通知があった場合に、前記呼制御サーバから接続された呼を保有していると、前記ゲートウェイからの着信を拒否することを特徴とする請求項５記載のＩＰ電話機。
【請求項７】
前記呼制御サーバから着信通知があった場合に、前記ゲートウェイから接続された呼を保有していると、前記呼制御サーバからの着信を拒否することを特徴とする請求項５記載のＩＰ電話機。
【請求項８】
１以上のＩＰ電話機と、前記ＩＰ電話機の電話番号をＩＰアドレスに番号翻訳する呼制御サーバと、公衆電話交換網とに接続されたゲートウェイにおいて、
予め番号翻訳に必要な指標が記憶され、着信があった場合、前記呼制御サーバに着信通知して応答がないと、番号翻訳して前記ＩＰ電話機に着信通知することを特徴とするゲートウェイ。
【請求項９】
前記呼制御サーバを介さずに直接前記ＩＰ電話機に接続した後、
前記呼制御サーバの復旧を監視し、着信があった場合、
前記呼制御サーバとの通信が復旧していれば着信通知を呼制御サーバに対して行い、
前記呼制御サーバとの通信が復旧していなければ番号翻訳して前記ＩＰ電話機に着信通知することを特徴とする請求項８記載のゲートウェイ。
【発明の詳細な説明】
【技術分野】
【０００１】
本発明は、１以上のＩＰ電話機と、公衆電話交換網に繋がるゲートウェイと、番号翻訳する呼制御サーバとが接続されてなるＶｏＩＰシステムに関するものである。
【背景技術】
【０００２】
現在、ＶｏＩＰ（Voice over Internet Protocol）システム、所謂インターネット電話が普及しつつある。一般的なＶｏＩＰシステムにおいて、ＰＳＴＮ（公衆電話交換網）から着信があった場合の動作が特許文献１に開示されている。特許文献１では、ＰＳＴＮから着信があった場合、それを受けたゲートウェイは交換サーバ（呼制御サーバ）に対して着信を通知する。そして、通知を受けた交換サーバは電話番号からＩＰアドレスへの変換を行い、端末（ＩＰ電話機）を特定して着信を通知している。このように、呼制御サーバを介してゲートウェイからＩＰ電話機へ着信が通知される。
【特許文献１】特開２００３−３２４５２４号公報
【発明の開示】
【発明が解決しようとする課題】
【０００３】
しかしながら、輻輳や故障等の障害が発生してゲートウェイから呼制御サーバまでの経路が断たれてしまった場合には、呼制御サーバに支配される全ＩＰ電話機が着信不能となる。
【０００４】
そこで本発明は、呼制御サーバが不通となった場合でも公衆電話交換網からＩＰ電話機へ着信可能とするＶｏＩＰシステムを提供することを目的とする。また、該ＶｏＩＰシステムを構成するＩＰ電話機やゲートウェイを提供することも目的とする。
【課題を解決するための手段】
【０００５】
上記目的を達成するために本発明は、１以上のＩＰ電話機と、公衆電話交換網に繋がるゲートウェイと、前記ＩＰ電話機の電話番号をＩＰアドレスに番号翻訳する呼制御サーバとが接続されてなるＶｏＩＰシステムにおいて、前記ゲートウェイには予め番号翻訳に必要な指標が記憶され、前記ＩＰ電話機には予め前記ゲートウェイ及び前記呼制御サーバの指標が記憶され、着信があった場合、前記ゲートウェイは、前記呼制御サーバに着信通知して応答がないと、番号翻訳して前記ＩＰ電話機に着信通知することを特徴とする。
【０００６】
上記ＶｏＩＰシステムにおいて、前記呼制御サーバを介さずに前記ゲートウェイから直接前記ＩＰ電話機に接続された後、前記ゲートウェイは、前記呼制御サーバの復旧を監視し、着信があった場合、前記呼制御サーバとの通信が復旧していれば着信通知を呼制御サーバに対して行い、前記呼制御サーバとの通信が復旧していなければ番号翻訳して前記ＩＰ電話機に着信通知することを特徴とする。
【０００７】
上記ＶｏＩＰシステムにおいて、前記呼制御サーバから前記ＩＰ電話機に接続された呼が保有されている場合に、前記ゲートウェイから前記ＩＰ電話機に着信通知があった場合、前記ＩＰ電話機は、前記ゲートウェイからの着信を拒否することを特徴とする。
【０００８】
上記ＶｏＩＰシステムにおいて、前記ゲートウェイから直接前記ＩＰ電話機に接続された呼が保有されている場合に、前記呼制御サーバから前記ＩＰ電話機に着信通知があった場合、前記ＩＰ電話機は、前記呼制御サーバからの着信を拒否することを特徴とする。
【０００９】
また本発明は、公衆電話交換網に繋がるゲートウェイと、電話番号をＩＰアドレスに番号翻訳する呼制御サーバとに接続されたＩＰ電話機において、予め前記ゲートウェイ及び呼制御サーバの指標が記憶され、前記ゲートウェイと前記呼制御サーバとの通信が不能な場合に、前記呼制御サーバを介さずに前記ゲートウェイから直接着信通知を受け付けることを特徴とする。
【００１０】
上記ＩＰ電話機において、前記ゲートウェイから着信通知があった場合に、前記呼制御サーバから接続された呼を保有していると、前記ゲートウェイからの着信を拒否することを特徴とする。
【００１１】
上記ＩＰ電話機において、前記呼制御サーバから着信通知があった場合に、前記ゲートウェイから接続された呼を保有していると、前記呼制御サーバからの着信を拒否することを特徴とする。
【００１２】
また本発明は、１以上のＩＰ電話機と、前記ＩＰ電話機の電話番号をＩＰアドレスに番号翻訳する呼制御サーバと、公衆電話交換網とに接続されたゲートウェイにおいて、予め番号翻訳に必要な指標が記憶され、着信があった場合、前記呼制御サーバに着信通知して応答がないと、番号翻訳して前記ＩＰ電話機に着信通知することを特徴とする。
【００１３】
上記ゲートウェイにおいて、前記呼制御サーバを介さずに直接前記ＩＰ電話機に接続した後、前記呼制御サーバの復旧を監視し、着信があった場合、前記呼制御サーバとの通信が復旧していれば着信通知を呼制御サーバに対して行い、前記呼制御サーバとの通信が復旧していなければ番号翻訳して前記ＩＰ電話機に着信通知することを特徴とする。
【発明の効果】
【００１４】
本発明によれば、公衆電話交換網からゲートウェイに着信があった場合、呼制御サーバと正常に通信可能な場合は呼制御サーバを介してＩＰ電話機に接続し、一方、呼制御サーバと不通な場合はゲートウェイから直接ＩＰ電話機に接続することにより、全ＩＰ電話機が着信不能になることを低減することができる。
【００１５】
また本発明によれば、ゲートウェイと呼制御サーバとの通信が不通になったり復旧したりすることにより、ゲートウェイから直接ＩＰ電話機に接続するか、ゲートウェイから呼制御サーバを介してＩＰ電話機に接続するかを切り替えるが、この切り替え後に前の呼が残っている場合はＩＰ電話機側で着信を拒否することにより、呼制御サーバの呼管理における矛盾の発生やそれに起因する異常動作の防止、また、ＩＰ電話機が接続経路の異なる呼を同時に保有することによる異常動作の防止ができる。
【発明を実施するための最良の形態】
【００１６】
図１は、本発明のＶｏＩＰシステムの構成を示すブロック図である。ＶｏＩＰシステム１０は、ＬＡＮ１１と、ＬＡＮ１１に接続されるＩＰ電話機１２ａ〜１２ｄと、ＬＡＮ１１に接続されるゲートウェイ（以下、ＧＷと記す）１３と、ＬＡＮ１１に接続される呼制御サーバ１４とから構成される。また、ＧＷ１３は公衆電話交換網（以下、ＰＳＴＮと記す）１５と繋がっている。また、ＬＡＮ１１はＶＰＮ（Virtual Private Network）やインターネット等のネットワーク１６と繋がっている。
【００１７】
ＩＰ電話機１２ａ〜１２ｄは、固有の電話番号とＩＰアドレスを有し、ＧＷ１３及び呼制御サーバ１４の指標を記憶している。ここで、指標とは、各装置が有する固有情報であり、ＧＷ１３や呼制御サーバ１４の指標はＩＰアドレスなどであり、ＩＰ電話機１２ａ〜１２ｄの指標は電話番号やＩＰアドレスなどである。
【００１８】
ゲートウェイ１３は、ＰＳＴＮ１５の局交換機（不図示）と接続するためのものであり、呼制御機能や音声符号化機能を備えている。着信時には呼制御サーバ１４に対して着信通知を行う。また、後述する呼制御サーバ１４と同様にＩＰ電話機１２ａ〜１２ｄの指標を有しており、番号翻訳を行い、ＩＰ電話機に直接着信通知して接続することもできる。
【００１９】
呼制御サーバ１４は、電話番号とＩＰアドレスの対応付けである番号翻訳を行い、着信時には電話番号から対応するＩＰアドレスを有するＩＰ電話機を特定して着信通知を行う。
【００２０】
次に、ＰＳＴＮ１５から着信があった場合のＶｏＩＰシステムの動作について、ＧＷ１３の動作とＩＰ電話機１２ａ〜１２ｄの動作とに分けて説明する。図２は、ＰＳＴＮ１５からの着信時のＧＷ１３の動作を示すフローチャートである。ＰＳＴＮ１５からＧＷ１３に着信があると、ステップＳ１０においてＧＷ１３は呼制御サーバ１４に着信通知を行う。そして、ステップＳ１１へ進んで呼制御サーバ１４からの応答の有無を判断する。
【００２１】
ステップＳ１１において呼制御サーバ１４から応答がある場合は、ステップＳ１２へ進んでＰＳＴＮ１５と呼制御サーバ１４の接続を中継する。これにより、呼制御サーバ１４は番号翻訳して特定したＩＰ電話機に着信通知することができる。
【００２２】
一方、ステップＳ１１において呼制御サーバ１４から応答がない場合は、呼制御サーバ１４との通信障害や呼制御サーバ１４の故障と判断して、ステップＳ１３へ進んでＧＷ１３が番号翻訳し、ステップＳ１４へ進んでＩＰ電話機に直接着信通知する。続いてステップＳ１４からステップＳ１５へ進んでＧＷ１３はＩＰ電話機からの応答の有無を判断する。
【００２３】
ステップＳ１５においてＩＰ電話機から応答がない場合は、ステップＳ１６へ進んでＧＷ１３はＰＳＴＮ１５へ着信不可を通知する。一方、ステップＳ１５においてＩＰ電話機から応答がある場合は、ステップＳ１７へ進んでＩＰ電話機が着信可能か否かを判断する。これはＩＰ電話機からの着信可否の応答によって判断する。
【００２４】
ステップＳ１７においてＩＰ電話機が着信不可である場合は、ステップＳ１６へ進む。一方、ステップＳ１７においてＩＰ電話機が着信可能である場合は、ステップＳ１８へ進んで、ＧＷ１３はＰＳＴＮ１５とＩＰ電話機の接続を中継する。これにより、呼制御サーバ１４を介さずにＩＰ電話機に接続することができる。
【００２５】
このように、ＰＳＴＮ１５からＧＷ１３に着信があった場合、呼制御サーバ１４と正常に通信可能な場合は呼制御サーバを介してＩＰ電話機に接続し、一方、呼制御サーバと不通な場合はＧＷ１３から直接ＩＰ電話機に接続することにより、全ＩＰ電話機１２ａ〜１２ｄが着信不能になることを低減することができる。
【００２６】
図３は、ＰＳＴＮ１５からの着信時のＩＰ電話機の動作を示すフローチャートである。ＩＰ電話機は着信があると、ステップＳ２０において着信経路を解析する。着信経路としては、上述したように呼制御サーバ１４又はＧＷ１３からの着信がある。例えば、ＳＩＰ（Session Initiation Protocol）を用いている場合、着信相手がＧＷ１３か否かの判断は、着信時のＩＮＶＩＴＥメッセージのＶｉａヘッダと予めＩＰ電話機に登録されているＧＷ１３のＩＰアドレスとを比較することにより実現できる。
【００２７】
ステップＳ２０からステップＳ２１へ進んでＩＰ電話機は呼制御サーバ１４又はＧＷ１３のどちらからの着信かを判断する。ステップＳ２１において呼制御サーバ１４からの着信である場合は、ステップＳ２２へ進んでＧＷ１３の呼を保有しているか否かを判断する。
【００２８】
ステップＳ２２においてＧＷ１３の呼を保有している場合、つまり、呼制御サーバ１４と不通な為に呼制御サーバ１４を介さずにＧＷ１３から直接ＩＰ電話機に接続中に呼制御サーバ１４との通信が復旧した場合、ステップＳ２３へ進んでＩＰ電話機は呼制御サーバ１４へ着信不可を通知する。この着信を許可してしまうと、呼制御サーバ１４とＧＷ１３という接続経路の異なる呼が同時に存在する特殊な状態に陥ってしまい、その後の呼制御サーバ１４の呼管理やＩＰ電話機の動作に矛盾や異常を来すおそれがあるからである。なお、呼制御サーバ１４が不通となった後はＧＷ１３が呼制御サーバ１４の復旧を監視する。従って、呼制御サーバ１４との通信が復旧すると速やかにＧＷ１３が認識する。
【００２９】
一方、ステップＳ２２においてＧＷ１３の呼を保有していない場合は、ステップＳ２４へ進んでＩＰ電話機は着信可能か否かを判断する。ステップＳ２４において着信不可である場合は、ステップＳ２３へ進む。一方、ステップＳ２４において着信可能である場合は、ステップＳ２５へ進んで、ＩＰ電話機は呼制御サーバ１４へ着信可能である旨を通知する。その後、ステップＳ２６へ進んでＩＰ電話機は呼制御サーバ１４経由で接続処理を行う。これにより、ＩＰ電話機は着信経路の異なる呼を同時に保有することなく、ＰＳＴＮ１５からの着信を呼制御サーバ１４を介して接続することができる。
【００３０】
ところで、ステップＳ２１において呼制御サーバ１４からの着信でない場合、つまり、ＧＷ１３からの着信である場合は、ステップＳ２７へ進んで呼制御サーバ１４の呼を保有しているか否かを判断する。
【００３１】
ステップＳ２７において呼制御サーバ１４の呼を保有している場合、例えば、通話中に呼制御サーバ１４と不通になった場合等、ステップＳ２８へ進んでＩＰ電話機はＧＷ１３へ着信不可を通知する。この着信を許可してしまうと、呼制御サーバ１４とＧＷ１３という接続経路の異なる呼が同時に存在する特殊な状態に陥ってしまい、その後の呼制御サーバ１４の呼管理やＩＰ電話機の動作に矛盾や異常を来すおそれがあるからである。なお、呼制御サーバ１４が不通となった後はＧＷ１３が呼制御サーバ１４の復旧を監視する。従って、呼制御サーバ１４との通信が復旧すると速やかにＧＷ１３が認識する。
【００３２】
一方、ステップＳ２７において呼制御サーバ１４の呼を保有していない場合は、ステップＳ２９へ進んでＩＰ電話機は着信可能か否かを判断する。ステップＳ２９において着信不可である場合は、ステップＳ２８へ進む。一方、ステップＳ２９において着信可能である場合は、ステップＳ３０へ進んで、ＩＰ電話機はＧＷ１３へ着信可能である旨を通知する。その後、ステップＳ３１へ進んでＩＰ電話機はＧＷ１３経由で接続処理を行う。これにより、ＩＰ電話機は着信経路の異なる呼を同時に保有することなく、ＰＳＴＮ１５からの着信をＧＷ１３から直接接続することができる。
【００３３】
このように、ＧＷ１３と呼制御サーバ１４との通信が不通になったり復旧したりすることにより、ＧＷ１３から直接ＩＰ電話機に接続するか、ＧＷ１３から呼制御サーバ１４を介してＩＰ電話機に接続するかを切り替えるが、この切り替え後に前の呼が残っている場合はＩＰ電話機側で着信を拒否することにより、呼制御サーバ１４の呼管理における矛盾の発生やそれに起因する異常動作の防止、また、ＩＰ電話機が接続経路の異なる呼を同時に保有することによる異常動作の防止ができる。
【産業上の利用可能性】
【００３４】
本発明のＶｏＩＰシステムは、Ｈ．３２３、ＳＩＰ、ＭＥＧＡＣＯ等の呼制御プロトコルを用いることができる。
【図面の簡単な説明】
【００３５】
【図１】本発明のＶｏＩＰシステムの構成を示すブロック図である。
【図２】本発明のＰＳＴＮからの着信時のＧＷの動作を示すフローチャートである。
【図３】本発明のＰＳＴＮからの着信時のＩＰ電話機の動作を示すフローチャートである。
【符号の説明】
【００３６】
１０    ＶｏＩＰシステム
１１    ＬＡＮ
１２ａ〜１２ｄ    ＩＰ電話機
１３    ゲートウェイ
１４    呼制御サーバ
１５    公衆電話交換網
１６    ネットワーク
【図１】
2005252994.tif 000003
【図２】
2005252994.tif 000004
【図３】
2005252994.tif 000005